(57)【要約】      （修正有）【課題】食品が収容された瓶の蓋が磁着性を有さないプラスチック等の材質で厚い場合であっても、適切な吸着力で安定して蓋の裏面に取り付けることができ、且つ低コストな瓶詰め食材用のスプーンを提供する。【解決手段】食品７が収容された瓶６から食品７を取り出すための瓶詰め食品用のスプーン１であって、柄部２と、柄部２の一端に設けられ、瓶６内の食材７を掬うための掬い部３と、柄部２の他端に設けられ、蓋５の裏面に取り付けられる吸盤４とを備える。吸盤４を蓋５の裏面に吸着させた状態で、蓋５を瓶６に装着することで瓶６内に収容され、瓶６から取り外した蓋５を把持して掬い部３で瓶内の食品７を掬う。蓋５が磁着性を有さないプラスチック等の材質で厚い場合であっても、適切な吸着力で蓋５の裏面に取り付けられ、蓋５を２つの磁石で挟む従来タイプよりも低コストとなる。【選択図】図５
0003185122.tif 000002
【実用新案登録請求の範囲】
【請求項１】
食品が収容された瓶から食品を取り出すための瓶詰め食品用のスプーンであって、
柄部と、
該柄部の一端に設けられ、前記瓶内の食材を掬うための掬い部と、
前記柄部の他端に設けられ、前記瓶の蓋の裏面に着脱可能に取り付けられる取付部とを備え、
該取付部が、前記蓋の裏面に吸着される吸盤、又は前記蓋の裏面に貼り付けられる貼付板から成り、
前記取付部を前記蓋の裏面に取り付けた状態で、前記蓋を前記瓶に装着することで前記瓶内に収容され、前記瓶から取り外した前記蓋を把持することで前記掬い部で前記瓶内の食品を掬うようにした、ことを特徴とする瓶詰め食品用のスプーン。
【請求項２】
前記柄部の長さが、前記取付部を前記蓋の裏面に取り付けた状態でその蓋を前記瓶に装着したとき、前記掬い部の先端が前記瓶の底に押し付けられる長さに設定され、
前記蓋を前記瓶に装着した際、前記掬い部の先端が前記瓶の底に押し付けられる反力で前記柄部を介して前記取付部が前記蓋の裏面に押し付けられる、ことを特徴とする請求項１に記載の瓶詰め食品用のスプーン。
【請求項３】
前記柄部及び前記掬い部の少なくとも一方が、前記掬い部が前記瓶の底に押し付けられた際に撓む弾性材料からなる、ことを特徴とする請求項１又は２に記載の瓶詰め食品用のスプーン。
【請求項４】
前記柄部が、長さ調節機構を有する、ことを特徴とする請求項１から３の何れか１項に記載の瓶詰め食品用のスプーン。
【考案の詳細な説明】
【技術分野】
【０００１】
本考案は、鮭フレーク等の食品が収容された瓶の蓋に装着される瓶詰め食品用のスプーンに関する。
【背景技術】
【０００２】
鮭フレーク、海苔、ウニ、なめ茸、塩辛、食べるラー油、ジャム等の食品が収容された瓶から食品を取り出す際、食事中の箸を瓶内に差し入れると、箸の唾液が食品に付着するため食品が劣化し、衛生面で問題が生じる。
【０００３】
一方、瓶から食品を取り出す専用のスプーンを用意することも考えられるが、そのスプーンを食事中に瓶に差し入れたままとすると、スプーンの柄が瓶の開口から飛び出るため蓋を閉めることができず、瓶内の食品が空気に触れ、鮮度や品質が落ちてしまう。蓋を閉めるためにはスプーンを置く小皿を用意すればよいが、この場合、スプーンに加えて小皿も洗わなければならず、洗い物が増えてしまう。
【０００４】
そこで、従来、瓶の蓋の裏面にスプーンを取り付け、このスプーンによって瓶内の食品を取り出すようにした発明が提案されている（特許文献１参照）。この発明は、スプーンの柄の端部にスプーン側磁石（ネオジム磁石）を取り付け、このスプーン側磁石に瓶の蓋を挟んで摘み兼用磁石（ネオジム磁石）を吸着させ、瓶の蓋をスプーン側磁石と摘み兼用磁石とで挟むことで、蓋の裏面にスプーンを取り付けるようにしたものである。
【０００５】
特許文献１の磁石付きスプーンによれば、蓋を瓶に装着することでスプーンを蓋の裏面に取り付けたまま瓶内に収容でき、蓋を瓶から取り外して蓋の摘み兼用磁石を摘んでスプーンで瓶内の食品を取り出すことができる。よって、食事中に直箸を瓶内に差し入れる必要はなく衛生面で良好であり、スプーン使用後に蓋を閉めることで食材が空気に触れて鮮度や品質が低下することを回避でき、また洗い物が増えることもない。
【先行技術文献】
【特許文献】
【０００６】
【特許文献１】特開２０１２−４２５号公報
【考案の概要】
【考案が解決しようとする課題】
【０００７】
上述した磁石付きスプーンにおいては、瓶の蓋をスプーン側磁石と摘み兼用磁石とで挟むことでスプーンを蓋に取り付けているので、蓋の材質が鉄等の磁着性材料である場合は勿論、プラスチック等の磁着性を有さない材料であっても、スプーンを蓋の裏面に装着することができる。
【０００８】
しかし乍ら、蓋が磁着性を有さないプラスチック製やステンレス製の場合、蓋の厚さに応じて二つの磁石同士の距離が離れるため、厚い蓋の場合、距離の二乗に反比例する磁着力が極端に弱まり、十分な磁着力が得られないケースが考えられる。また、蓋の裏面に瓶の開口に押し付けられる柔らかいシール材が積層されているものがあるが、この場合も同様に蓋が厚くなるため、二つの磁石同士の距離が離れ、十分な磁着力が得られない可能性がある。かかる問題は、磁石の磁力を高めることで解消するが、磁力の高いネオジム磁石は高価であり、コストアップを招いてしまう。
【０００９】
以上の事情を考慮して創案された本考案の目的は、食品が収容された瓶の蓋の裏面に取り付けられる瓶詰め食材用のスプーンであって、蓋が磁着性を有さないプラスチック等の材質で厚い場合であっても、適切な吸着力で安定して蓋の裏面に取り付けることができ、且つ低コストな瓶詰め食材用のスプーンを提供することにある。
【課題を解決するための手段】
【００１０】
上記目的を達成するために創案された本考案は、食品が収容された瓶から食品を取り出すための瓶詰め食品用のスプーンであって、柄部と、柄部の一端に設けられ、瓶内の食材を掬うための掬い部と、柄部の他端に設けられ、瓶の蓋の裏面に着脱可能に取り付けられる取付部とを備え、取付部が、蓋の裏面に吸着される吸盤、又は蓋の裏面に貼り付けられる貼付板から成り、取付部を蓋の裏面に取り付けた状態で、蓋を瓶に装着することで瓶内に収容され、瓶から取り外した蓋を把持することで掬い部で瓶内の食品を掬うようにしたものである。
【００１１】
柄部の長さが、取付部を蓋の裏面に取り付けた状態でその蓋を瓶に装着したとき、掬い部の先端が瓶の底に押し付けられる長さに設定され、蓋を瓶に装着した際、掬い部の先端が瓶の底に押し付けられる反力で柄部を介して取付部が蓋の裏面に押し付けられるようになっていてもよい。
【００１２】
柄部及び掬い部の少なくとも一方が、掬い部が瓶の底に押し付けられた際に撓む弾性材料からなっていてもよい。
【００１３】
柄部が、長さ調節機構を有していてもよい。
【考案の効果】
【００１４】
本考案に係る瓶詰め食品用のスプーンによれば、次のような効果を発揮できる。
（１）スプーンを蓋に取り付ける取付部が吸盤又は貼付板から成っており、吸盤によって蓋の裏面に吸着される又は貼付板によって蓋の裏面に貼り付けられるため、蓋が磁着性を有さないプラスチック等の材質で厚い場合であっても、適切な吸着力・貼付力で安定して蓋の裏面に取り付けることができ、且つ磁石を用いた場合よりも低コストとなる。
（２）柄部の長さを適切に設定し、蓋を瓶に装着した際に掬い部の先端が瓶の底に押し付けられるようにすれば、その押し付け反力で取付部を構成する吸盤又は貼付板が蓋の裏面に押し付けられるので、蓋を開け閉めする度に、吸盤による吸着力又は貼付板による貼付力がリセットされ、安定した吸着力・貼付力が保持される。
（３）柄部及び掬い部の少なくとも一方を弾性材料とすれば、掬い部の先端が瓶の底に押し付けられた際に、弾性材料の部分が撓み、その復元力で取付部を構成する吸盤又は貼付板が蓋の裏面に押し付けられるので、吸盤による吸着力又は貼付板による貼付力が高いレベルで安定する。
（４）柄部が長さ調節機構を備えていれば、様々な深さの瓶に合わせて柄部の長さを調節することで、蓋を瓶に装着した際に掬い部の先端を瓶の底に適切に押し付けることができ、様々な深さの瓶に対応できる。
【図面の簡単な説明】
【００１５】
【図１】本考案の一実施形態に係る瓶詰め食品用のスプーンの斜視図である。
【図２】図１のスプーンを蓋の裏面に装着した様子を示す説明図であり、（ａ）はスプーン及び蓋の斜視図、（ｂ）は（ａ）の部分側断面図である。
【図３】図２（ａ）のスプーンが取り付けられた蓋を瓶に装着した様子を示す斜視図である。
【図４】図３の側断面図である。
【図５】本実施形態に係るスプーンの使用状態を示す説明図である。
【図６】本考案の第１変形実施形態に係る長さ調節機構を備えた瓶詰め食品用のスプーンの説明図である。
【図７】本考案の第２変形実施形態に係る貼付板を備えた瓶詰め食品用のスプーン、蓋及び瓶を示す側断面図である。
【考案を実施するための形態】
【００１６】
以下に添付図面を参照しながら、本考案の好適な実施形態について詳細に説明する。なお、本明細書及び図面において、実質的に同一の機能、構成を有する要素については、同一の符号を付することにより重複説明を省略し、また本考案に直接関係のない要素は図示を省略する。
【００１７】
（瓶詰め食品用のスプーン１の概要）
図１に本考案の一実施形態に係る瓶詰め食品用のスプーン１を示す。この食品用のスプーン１は、食品が収容された瓶から食品を取り出すためのものであって、柄部２と、柄部２の一端に設けられた掬い部３と、柄部２の他端に取り付けられた吸盤４とを備えている。
【００１８】
吸盤４は、図２（ａ）、図２（ｂ）に示すように、スプーン１を瓶の蓋５の裏面５ａに取り付けるための取付部を成すものであり、瓶の蓋５の裏面５ａに吸着される。なお、取付部は、吸盤４に限られず、図７に示すように、蓋５の裏面５ａに貼り付けられる貼付板４ｙであってもよい。以下、取付部が吸盤４の場合について説明するが、取付部が貼付板４ｙであっても同様であり、吸盤４を貼付板４ｙと読み替えることも可能である。なお、貼付板４ｙの詳細については後述する。
【００１９】
吸盤４が吸着された蓋５は、図３に示すように瓶６の開口のネジ部に締め込まれ、瓶６に装着される。図４に示すように、蓋５を瓶６の開口のネジ部６ａに締め込んだとき、掬い部３の先端３ａが瓶６の底６ｂに押し付けられるように、柄部２の長さが設定されていてもよい。これにより、掬い部３の先端３ａが瓶６の底６ｂに押し付けられる反力で、柄部２を介して吸盤４が蓋５の裏面５ａに押し付けられることになる。
【００２０】
蓋５を瓶６の開口のネジ部６ａに締め込んだとき、柄部２は、図４に仮想線で示すように、弾性的に撓む長さとなっていてもよい。これにより、弾性的に撓んだ柄部２の復元力で、吸盤４が蓋５の裏面５ａに押し付けられることになる。なお、図４の仮想線は分かり易くするために柄部２を極端に撓ませて描いているが、１〜２ｍｍ程度の僅かな撓みでも構わない。
【００２１】
スプーン１を使用するときには、図５に示すように、蓋５を瓶６から取り外し、蓋５を摘んで掬い部３を瓶６の開口から内部に差し入れ、掬い部３で瓶６内の食品７を取り出す。なお、本明細書において、瓶６の概念には、ガラス製、プラスチック製等の透明、半透明、不透明の容器の他、金属製の容器も含まれる。また、瓶６に収容される食品７としては、鮭フレーク、海苔、ウニ、なめ茸、塩辛、食べるラー油、ジャム等が挙げられる。
【００２２】
（柄部２、掬い部３、吸盤４）
図１に示すように、本実施形態に係る瓶詰め食品用のスプーン１は、柄部２と掬い部３と吸盤４とから構成されている。これら構成要素について説明する。
【００２３】
柄部２は、ロッド状に形成され、本実施形態ではプラスチック、シリコン、樹脂、ゴム等の弾性を有する材料から成っている。掬い部３は、瓶６の内部の食品７を掬う窪み３ｂを有し、本実施形態では柄部２と同じ材質から成り、柄部２と一体的に成形されている。なお、掬い部３は柄部２と別体となっていてもよく、掬い部３の材質は柄部２の材質と異なっていてもよい。掬い部３と柄部２とを別体とした場合、一方を他方よりも柔らかい弾性材としてもよく、一方を弾性を有さない材質としてもよい。これらは接着等により接合される。なお、柄部２及び掬い部３は、共に弾性を有さない材質から成っていてもよい。
【００２４】
図１に示すように、吸盤４は、ポリ塩化ビニル等の弾性を有する材料から成り、浅皿状に形成された吸着部４ａと、吸着部４ａの中心に円柱状又は角柱状等に形成された基台部４ｂとを有する。図２（ｂ）に示すように、基台部４ｂには、柄部２の太さに応じた穴４ｃが形成されており、穴４ｃには、柄部２が差し込まれて接着されている。なお、穴４ｃは、基台部４ｂから吸着部４ａの吸着面に貫通していてもよい。穴４ｃが貫通していても、そこに柄部２が差し込まれて接着されることで穴４ｃが気密に塞がれるため、吸着部４ａを蓋５に吸着させた際の吸着部４ａと蓋５との間における負圧室８の負圧は保たれる。吸着部４ａの表面には、吸盤４を蓋５の裏面５ａから剥がす際に摘まれる摘み部４ｄが形成されている。摘み部４ｄは省略してもよい。
【００２５】
図２（ｂ）に示すように、吸盤４の基台部４ｂは、吸着部４ａと一体成形されており、ポリ塩化ビニル等の弾性を有する材料から成っている。このため、図４に示すように、蓋５が瓶６に装着されて柄部２が仮想線で示すように撓んだ際、基台部４ｂが吸着部４ａに対して弾性的に傾き、柄部２の根元のスムーズな傾きが許容される。また、吸盤４の基台部４ｂは、図４に示すように、掬い部３の先端３ａが瓶６の底６ｂに押し付けられたとき、押し付け方向（図４の上下方向）に吸着部４ａと共に弾性的に圧縮され、その復元力で吸着部４ａを蓋５の裏面５ａに押し付ける機能も発揮する。このとき、柄部２は、仮想線で示すように撓んでいてもよいが、撓まずにストレート状のままでも構わない。
【００２６】
（作用・効果）
本実施形態に係る瓶詰め食品用のスプーン１によれば、図２（ａ）及び図２（ｂ）に示すように、吸盤４によって蓋５の裏面５ａに吸着されるため、蓋５が磁着性を有さないプラスチック等の材質で厚い場合であっても、適切な吸着力で安定して蓋５の裏面５ａに取り付けることができ、且つ磁石を用いた場合よりも低コストとなる。
【００２７】
すなわち、特許文献１に開示された磁石付きスプーンのように瓶６の蓋５をスプーン側磁石と摘み兼用磁石とで挟むことでスプーンを蓋５に取り付けるタイプであると、蓋５が磁着性を有さないプラスチック製やステンレス製の場合、蓋５の厚さに応じて二つの磁石同士の距離が離れるため、蓋５の裏面５ａに瓶６の開口に押し付けられる柔らかいシール材が積層されているもの等の厚い蓋５の場合、距離の二乗に反比例する磁着力が極端に弱まり、十分な磁着力が得られないケースが考えられる。この磁着力の問題は、磁石の磁力を高めることで解消するが、磁力の高いネオジム磁石は高価であり、コストアップを招く。一方、本実施形態の瓶詰め食品用のスプーン１によれば、吸盤４によって蓋５の裏面５ａに吸着させているため、蓋５の厚さに拘わりなく適切な吸着力を発揮でき、且つ、吸盤４はネオジム磁石と比べて遙かに安価であるため、低コストとなる。
【００２８】
図３、図４に示すように、柄部２の長さを適切に設定し、蓋５を瓶６の開口のネジ部６ａに締め込んだ際、掬い部３の先端３ａが瓶６の底６ｂに押し付けられるようにすれば、その押し付け反力で吸盤４が蓋５の裏面５ａに押し付けられるので、蓋５を開け閉めする度に、吸盤４による吸着力がリセットされ、安定した吸着力が保持される。
【００２９】
すなわち、図５に示すように、蓋５を瓶６から取り外してその蓋５を摘んで掬い部３で瓶６内の食品７を取り出すと、食品７を掬い上げるときの力が柄部２を介して吸盤４に作用し、吸盤４がコジられる。これにより、仮に、吸盤４が蓋部５の裏面５ａから浮き加減となったとしても、図４に示すように、蓋５が瓶６のネジ部６ａに締め込まれることで、掬い部３の先端３ａが瓶６の底６ｂに押し付けられ、その反力で吸盤４が蓋５の裏面５ａに押し付けられるため、吸着部４と蓋５との間の負圧室８（図２（ｂ）参照）が圧縮され、吸盤４による吸着力がリセットされ、安定した吸着力が保持される。
【００３０】
ここで、吸盤４がポリ塩化ビニル等の弾性を有する材料から成っているため、蓋５が瓶６に締め込まれて掬い部３の先端３ａが瓶６の底６ｂに押し付けられたとき、吸盤４の基台部４ａが吸着部４ａと共に押し付け方向（図４の上下方向）に弾性的に圧縮され、その復元力で吸盤４の吸着部４ａが蓋５の裏面５ａに押し付けられる。すなわち、弾性材料から成る吸盤４の基台部４ｂは、蓋５を瓶６に装着した際に、吸着部４ａを蓋５の裏面５ａに押し付ける付勢部材としても機能する。このとき、柄部２及び掬い部３は、図４に仮想線で示すように撓んでもよいが、吸盤４（吸着部４ａ及び基台部４ｂ）が圧縮されると共に負圧室８（図２（ｂ）参照）が圧縮されることで、撓まずにストレート状のままとなっていても構わない。
【００３１】
また、柄部２及び掬い部３の少なくとも一方を弾性材料とし、柄部２及び掬い部３の長さを適切に設定することで、図４に示すように、蓋５が瓶６の開口のネジ部６ａに締め込まれて掬い部３の先端３ａが瓶６の底６ｂに押し付けられた際、弾性材料の部分（柄部２及び掬い部３の少なくとも一方）が仮想線で示すように撓むようにすれば、その復元力によって吸盤４が蓋５の裏面５ａに押し付けられる。これにより、吸盤４による吸着力が高いレベルで安定する。すなわち、柄部２及び掬い部３の内の弾性材料の部分が、蓋５を瓶６に装着した際に、吸盤４を蓋５の裏面５ａに押し付ける付勢部材としても機能する。
【００３２】
以上要するに本実施形態に係る瓶詰め食材用のスプーン１によれば、食品７が収容された瓶６の蓋５の裏面５ａに取り付けられる瓶詰め食材用のスプーン１であって、蓋５が磁着性を有さないプラスチック等の材質で厚い場合であっても、適切な吸着力で安定して蓋５の裏面５ａに取り付けることができ、且つ低コストな瓶詰め食材用のスプーン１を実現できる。なお、瓶６内の食品７（図５参照）が無くなったら、吸盤４（取付部）を蓋５から取り外し、次の新たな瓶の蓋の裏面に取り付けることで、スプーン１を使い回せる。
【００３３】
（第１変形実施形態：長さ調節機構９）
本考案の第１変形実施形態に係る瓶詰め食材用のスプーン１ｘを図６に示す。この第１変形実施形態に係る瓶詰め食材用のスプーン１ｘは、基本的な構成が図１〜図５を用いて説明した前実施形態に係るスプーン１と同様であり、柄部２が長さ調節機構９を有している点が前実施形態と相違する。よって、同様な構成については説明を省略し、相違する長さ調節機構９について説明する。なお、図６のスプーン１ｘにおいて、吸盤４の代わりに図７に示す貼付板４ｙを用いてもよいことも、前実施形態と同様である。
【００３４】
図６に示すように、柄部２には、長さ調節機構９が備えられている。長さ調節機構９は、下端に掬い部３が設けられたロッド９１と、上端が吸盤４に形成された穴４ｃに接着された円筒９２とを有し、ロッド９１の上端を円筒９２の下端に差し込み、その差し込み深さを調節することで長さを変更するようになっている。詳しくは、ロッド９１にはピン９３が差し込まれる孔９１ａが形成され、円筒９２にはピン９３が差し込まれる孔９２ａが長手方向に間隔を隔てて複数（例えば３個、２個でも４個以上でもよい）形成されている。ロッド９１の孔９１ａを円筒９２の孔９２ａの何れかに合わせ、それらの孔９１ａ、９２ａにピン９３を差し込むことで、柄部２の長さ（掬い部３の下端３ａから吸盤４までの長さ）を変更できる。
【００３５】
図６に示す第１変形実施形態に係る瓶詰め食材用のスプーン１ｘによれば、柄部２が長さ調節機構９を備えているので、様々な深さの瓶６に合わせて長さ調節機構９により柄部２の長さを調節することで、蓋５を瓶６のネジ部６ａに締め込んだ際に掬い部３の先端３ａを瓶６の底６ｂに適切に押し付けることができ、様々な深さの瓶６に対応できる。その他、この第１変形実施形態に係るスプーン１ｘの基本的な作用効果は、前実施形態と同様であるので、説明を省略する。なお、長さ調節機構９は、上述した構成に限らず、柄部２の長さが変更できる様々な構成を含む。例えば、上述の孔９１ａ、９２ａ及びピン９３を省略し、円筒９２にロッド９１を差し入れて瓶６の深さに合わせて長さを調整した後に接着固定し、その瓶６（その深さの瓶６）に専用のスプーン１ｘとしてもよい。
【００３６】
（第２変形実施形態：貼付板４ｙ）
本考案の第２変形実施形態に係る瓶詰め食材用のスプーン１ｙを図７に示す。この第２変形実施形態に係る瓶詰め食材用のスプーン１ｙは、基本的な構成が図１〜図５を用いて説明した最初の実施形態に係るスプーン１と同様であり、スプーン１ｙを瓶６の蓋５の裏面５ａに取り付ける取付部が吸盤４ではなく貼付板４ｙである点が最初の実施形態と相違する。よって、同様な構成については説明を省略し、相違する貼付板４ｙについて説明する。
【００３７】
図７に示すように、貼付板４ｙには、柄部２の太さに応じた穴４ｅが形成されており、穴４ｅには、柄部２が差し込まれて接着されている。貼付板４ｙの材質は、この実施形態ではプラスチック、シリコン、樹脂、ゴム等の弾性を有する材料が用いられているが、弾性を有さない材料であっても構わない。貼付板４ｙの頂面には、貼付板４ｙを蓋５の裏面５ａに貼るための粘着層４ｆが設けられている。この粘着層４ｆは、スプーン１ｙが製品として販売されているときには保護シート（図示せず）によって覆われており、スプーン１ｙを購入した後、その保護シートを剥がすことで露出され、蓋５の裏面５ａに貼り付けられる。粘着層４ｆは、所定の貼付力（掬い部３で瓶６内の食品７を掬うときには剥がれず、且つ人の手で貼付板４ｙを蓋５の裏面５ａから剥がせる程度の粘着力）を有し、蓋５の裏面５ａに着脱可能に貼られる。
【００３８】
この第２変形実施形態に係るスプーン１ｙによれば、スプーン１ｙを蓋５に取り付ける取付部が貼付板４ｙから成っており、貼付板４ｙによって蓋５の裏面５ａに貼り付けられるため、蓋５が磁着性を有さないプラスチック等の材質で厚い場合であっても、適切な貼付力で安定して蓋５の裏面５ａに取り付けることができ、且つ磁石を用いた場合よりも低コストとなる。
【００３９】
また、柄部２の長さを適切に設定し、蓋５を瓶６に装着した際に掬い部３の先端３ａが瓶６の底６ｂに押し付けられるようにすれば、その押し付け反力で貼付板４ｙの粘着層４ｆが蓋５の裏面５ａに押し付けられるので、蓋５を開け閉めする度に、貼付板４ｙの粘着層４ｆによる貼付力がリセットされ、安定した貼付力が保持される。なお、粘着層４ｆは、常時湿った状態であり、押し付けられることで貼付力がリセットされる。
【００４０】
ここで、貼付板４ｙがゴム等の弾性材であれば、上述した押し付け反力によって貼付板４ｙが弾性的に図７の上下方向に圧縮され、その復元力によって粘着層４ｆが蓋５の裏面５ａに押し付けられる。この結果、貼付板４ｙが、蓋５を瓶６に装着した際、粘着層４ｆを蓋５の裏面５ａに押し付ける付勢部材としても機能することになる。
【００４１】
また、柄部２及び掬い部３の少なくとも一方を弾性材料とすれば、掬い部３の先端３ａが瓶６の底６ｂに押し付けられた際に、弾性材料の部分（柄部２及び掬い部３の少なくとも一方）が撓み、その復元力で貼付板４ｙの粘着層４ｆが蓋５の裏面５ａに押し付けられる。よって、貼付板４ｙの粘着層４ｆによる貼付力が高いレベルで安定する。
【００４２】
図７のスプーン１ｙの柄部２に、図６に示す長さ調節機構９を組み込んでもよい。こうすれば、長さ調節機構９によって柄部２の長さを様々な深さの瓶に合わせて調節することで、蓋５を瓶６に装着した際に掬い部３の先端３ａを瓶６の底６ｂに適切に押し付けることができ、様々な深さの瓶６に対応できる。また、瓶６内の食品７（図５参照）が無くなったら、貼付板４ｙ（取付部）を蓋５から取り外し、次の新たな瓶の蓋の裏面に取り付けることで、スプーン１ｙを使い回せる。このとき、粘着層４ｆを塗り直してもよい。その他、この第２変形実施形態に係るスプーン１ｙの基本的な作用効果は、最初の実施形態と同様であるので、説明を省略する。
【００４３】
以上、添付図面を参照しつつ本考案の好適な実施形態について説明したが、本考案は上述した各実施形態に限定されないことは勿論であり、実用新案登録請求の範囲に記載された範疇における各種の変更例又は修正例についても、本考案の技術的範囲に属することは言うまでもない。
【産業上の利用可能性】
【００４４】
本考案は、鮭フレーク等の食品が収容された瓶の蓋に装着される瓶詰め食品用のスプーンに利用できる。
【符号の説明】
【００４５】
１  瓶詰め食品用のスプーン
２  柄部
３  掬い部
４  吸盤
４ｙ  貼付板
４ｆ  粘着層
５  蓋
５ａ  裏面
６  瓶
６ａ  ネジ部
６ｂ  底
７  食品
８  負圧室
９  長さ調節機構
【図１】
0003185122.tif 000003
【図２】
0003185122.tif 000004
【図３】
0003185122.tif 000005
【図４】
0003185122.tif 000006
【図５】
0003185122.tif 000007
【図６】
0003185122.tif 000008
【図７】
0003185122.tif 000009